(57)【要約】【課題】ジッターやパケットロスが発生したとしても送信先への影響を抑えることができるとともに、ＴＣ装置におけるモデム部を不要とした通信装置を提供する。【解決手段】通信装置１０は、入力されたＣＤＴ信号を１サイクルごとにＩＰパケットに変換して送出するＣＤＴ信号／ＩＰパケット変換部１０ａと、受信したＩＰパケットをＣＤＴ信号に変換して送出するとともに、ＩＰパケットが所定時間受信できなかった場合に、受信に成功した最新のＩＰパケットを変換したＣＤＴ信号を送出するＩＰパケット／ＣＤＴ信号変換部１０ｂとを有している。【選択図】図１
2018006956.tif 000002
【特許請求の範囲】
【請求項１】
入力されたＣＤＴ信号を１サイクルごとにＩＰパケットに変換して送出するＣＤＴ信号／ＩＰパケット変換部と、
受信したＩＰパケットをＣＤＴ信号に変換して送出するとともに、ＩＰパケットが第１の所定時間受信できなかった場合に、受信に成功した最新のＩＰパケットを変換したＣＤＴ信号を送出するＩＰパケット／ＣＤＴ信号変換部とを有することを特徴とする通信装置。
【請求項２】
前記ＣＤＴ信号／ＩＰパケット変換部は、
受信したＣＤＴ信号を一時記憶するＣＤＴ信号バッファ部と、
ＣＤＴ信号バッファ監視部と、
ＣＤＴ方式をＩＰ方式に変換するプロトコル変換部と
ＩＰパケット送出部を有し、
前記ＣＤＴ信号バッファ監視部は、前記ＣＤＴ信号バッファ部が受信したＣＤＴ信号が１サイクル分溜まった際に、前記プロトコル変換部に対して、前記ＣＤＴ信号を１サイクルごとにＩＰパケットに変換するための指令を出し、
前記プロトコル変換部は、前記ＣＤＴ信号バッファ監視部からの指令に応じて、前記ＣＤＴ信号を１サイクルごとにＩＰパケットに変換することを特徴とする請求項１に記載の通信装置。
【請求項３】
前記ＩＰパケット／ＣＤＴ信号変換部は、
ＩＰパケットを受信するＩＰパケット受信部と、
ＣＤＴ方式をＩＰ方式に変換するプロトコル変換部と、
該プロトコル変換部で変換したＣＤＴ信号を一時記憶するＣＤＴ信号バッファ部およびＣＤＴ信号前値保持部と、
ＩＰパケット監視部と、
ＣＤＴ送出信号切替部と、
ＣＤＴ信号送出部を有し、
前記ＩＰパケット監視部は、前記ＩＰパケット受信部が前記第１の所定時間内に前記ＩＰパケットを受信しているか否かを監視し、
前記ＩＰパケット受信部が前記第１の所定時間内に前記ＩＰパケットを受信している場合は、前記プロトコル変換部は、前記ＩＰパケット受信部で受信したＩＰパケットを１パケットごとに、ＣＤＴ信号に変換し、
前記ＣＤＴ信号バッファ部および前記ＣＤＴ信号前値保持部は、前記プロトコル変換部で変換されたＣＤＴ信号を保持し、
前記ＣＤＴ送出信号切替部は、前記ＣＤＴ信号バッファ部に保持されたＣＤＴ信号が前記ＣＤＴ信号送出部から送出されるように入力を切換えるとともに、
前記ＩＰパケット受信部が前記ＩＰパケットを前記第１の所定時間内に受信していない場合は、前記ＣＤＴ送出信号切替部は、前記ＣＤＴ信号前値保持部に保持したＣＤＴ信号が前記ＣＤＴ信号送出部から送出されるように入力を切換えることを特徴とする請求項１または２に記載の通信装置。
【請求項４】
前記ＣＤＴ信号前値保持は、前記ＣＤＴ信号バッファ部に保持され前記ＣＤＴ送出信号切替部を介して前記ＣＤＴ信号送出部から送出された最新の前記ＣＤＴ信号を保持することを特徴とする請求項３に記載の通信装置。
【請求項５】
前記ＩＰパケット監視部は、前記ＩＰパケット受信部が前記ＩＰパケットを前記第１の所定時間よりも長い第２の所定時間受信していない場合は、前記ＣＤＴ信号送出部からのＣＤＴ信号の送出を停止することを特徴とする請求項３または４に記載の通信装置。
【請求項６】
前記ＩＰパケットの通信に衛星通信を用いることを特徴とする請求項１から５のいずれか１に記載の通信装置。
【発明の詳細な説明】
【技術分野】
【０００１】
本発明は通信装置に関し、特に、ＣＤＴ（Cyclic Digital Transmission:サイクリックデジタル伝送方式）信号とＩＰ（Internet Protocol）パケット信号との変換処理を行う通信装置に関する。
【背景技術】
【０００２】
電力系統では、時々刻々の負荷や発電変動、事故発生などが生じることがあり、このような種々の状態変化や外乱に対して、系統の安定運転、保安および需要家への供給信頼度の維持向上を行う必要がある。このため、系統構成となる電気所（子局）の状態などを給電指令機関（親局）で常に監視把握しておく必要があり、親局からの指令に対して、子局は迅速に対応する必要がある。
【０００３】
判断処理すべき情報量の増大等に伴い、必要な情報の通信量と信頼性向上に対応するため、従来よりアナログ・テレメータ装置、スーパービジョン装置の伝送方式として、大量の情報を高速かつ高信頼度で伝送可能なＣＤＴが導入されている。しかしながら、震災の発生時には、光ケーブルやメタルケーブル等の有線を利用した通信回線が断線することがあり、その影響を受ける電気所では通信が途絶えてしまうという事態が発生する。
【０００４】
光ケーブルなどの有線設備の復旧の長期化に対処するために、衛星システムによるＴＣ（テレコン）回線を早期に復旧することが行われている。図７は、衛星システムを利用した従来のＴＣ回線の構成を示す図であり、ＴＣ装置（遠隔監視制御装置またはテレコン装置ともいう。）３０内の信号処理部３１で生成されたＣＤＴ信号は、モデム部３２で音声信号に変換され、変換された信号は、メタルケーブルを介して音声ＩＰ変換装置４０に送られ、音声ＩＰ変換装置４０でＩＰパケットに変換されて、衛星回線によって通信が行なわれている。
【０００５】
一方、ＣＤＴ信号をパケット化して送信することも提案されており、特許文献１には、ＣＤＴデータをまとめてパケット化して送信することが開示されている。特許文献１に記載の方式では、ＣＤＴ信号に状態変化が発生していない場合は、一定時間ごとにデータバッファに記憶されている全ＣＤＴデータをパケット化して送信するとともに、状態変化があった場合、状態変化したＣＤＴデータをまとめて１つのパケットに組み立てて送信している。
【先行技術文献】
【特許文献】
【０００６】
特開平６-１６９３２２号公報
【発明の概要】
【発明が解決しようとする課題】
【０００７】
図７に示したＴＣ回線構成では、衛星回線の品質が低下した際に、ＴＣ回線で渋滞が発生することがある。このため、安定して通信を行うためには、パケット通信間隔やＴＣ装置３０のモデム部３２から出力される音声出力のバッファメモリの調整を必要としていた。また、デジタル信号を一度アナログ信号（音声信号）に変調した後、ＩＰパケットに変換しているため、アナログ信号をＩＰパケットに変換するためには，標本化、量子化、符号化という３つの処理が必要になることから、元々のデジタル信号の情報量とは関係なく，常に一定の通信容量（８０〜９０kbps程度）が必要となっていた。
【０００８】
このため、図７に示したＴＣ回線構成では、複数のＴＣ装置からのデータを送受信する際には通信容量が増加し、各構成部材の規模が大きくなるとともに、帯域確保のための衛星通信回線サービス利用料が増加することになる。一方、ＣＤＴによる通信量は１．２kbps以下であることを考慮すると、音声信号への変換を行わずに、ＣＤＴ信号を直接ＩＰパケットに変換することが考えられる。
【０００９】
そして、特許文献１には、ＣＤＴ信号を直接ＩＰパケットに変換する方法として、ＣＤＴ信号をまとめてパケット化して送信することが記載されているが、例えば、衛星回線のようなジッターやパケットロスの発生頻度が大きな通信回線を用いた場合に、欠損したサイクルのパケットの再送処理を行うと、データの正確性は保たれるものの、リアルタイム性が損なわれ、回線渋滞を引き起こす原因ともなる。
【００１０】
本発明は、これらの実情に鑑みてなされたものであり、ジッターやパケットロスが発生したとしても送信先への影響を抑えることができるとともに、ＴＣ装置におけるモデム部を不要とした通信装置を提供することをその目的とする。
【課題を解決するための手段】
【００１１】
本発明の通信装置は、入力されたＣＤＴ信号を１サイクルごとにＩＰパケットに変換して送出するＣＤＴ信号／ＩＰパケット変換部と、受信したＩＰパケットをＣＤＴ信号に変換して送出するとともに、ＩＰパケットが第１の所定時間受信できなかった場合に、受信に成功した最新のＩＰパケットを変換したＣＤＴ信号を送出するＩＰパケット／ＣＤＴ信号変換部とを有する通信装置である。
【００１２】
また、本発明の通信装置の前記ＣＤＴ信号／ＩＰパケット変換部は、受信したＣＤＴ信号を一時記憶するＣＤＴ信号バッファ部と、ＣＤＴ信号バッファ監視部と、ＣＤＴ方式をＩＰ方式に変換するプロトコル変換部と、ＩＰパケット送出部を有し、前記ＣＤＴ信号バッファ監視部は、前記ＣＤＴ信号バッファ部が受信したＣＤＴ信号が１サイクル分溜まった際に、前記プロトコル変換部に対して、前記ＣＤＴ信号を１サイクルごとにＩＰパケットに変換するための指令を出し、前記プロトコル変換部は、前記ＣＤＴ信号バッファ監視部からの指令に応じて、前記ＣＤＴ信号を１サイクルごとにＩＰパケットに変換する通信装置である。
【００１３】
また、本発明の通信装置の前記ＩＰパケット／ＣＤＴ信号変換部は、ＩＰパケットを受信するＩＰパケット受信部と、ＣＤＴ方式をＩＰ方式に変換するプロトコル変換部と、該プロトコル変換部で変換したＣＤＴ信号を一時記憶するＣＤＴ信号バッファ部およびＣＤＴ信号前値保持部と、ＩＰパケット監視部と、ＣＤＴ送出信号切替部と、ＣＤＴ信号送出部を有し、前記ＩＰパケット監視部は、前記ＩＰパケット受信部が前記第１の所定時間内に前記ＩＰパケットを受信しているか否かを監視し、前記ＩＰパケット受信部が前記第１の所定時間内に前記ＩＰパケットを受信している場合は、前記プロトコル変換部は、前記ＩＰパケット受信部で受信したＩＰパケットを１パケットごとに、ＣＤＴ信号に変換し、前記ＣＤＴ信号バッファ部および前記ＣＤＴ信号前値保持部は、前記プロトコル変換部で変換されたＣＤＴ信号を保持し、前記ＣＤＴ送出信号切替部は、前記ＣＤＴ信号バッファ部に保持されたＣＤＴ信号が前記ＣＤＴ信号送出部から送出されるように入力を切換えるとともに、前記ＩＰパケット受信部が前記ＩＰパケットを前記第１の所定時間内に受信していない場合は、前記ＣＤＴ送出信号切替部は、前記ＣＤＴ信号前値保持部に保持したＣＤＴ信号が前記ＣＤＴ信号送出部から送出されるように入力を切換える通信装置である。
【００１４】
また、本発明の通信装置の前記ＩＰパケット／ＣＤＴ信号変換部の前記ＣＤＴ信号前値保持部は、前記ＣＤＴ信号バッファ部に保持され前記ＣＤＴ送出信号切替部を介して前記ＣＤＴ信号送出部から送出された最新の前記ＣＤＴ信号を保持する通信装置である。
【００１５】
また、本発明の通信装置の前記ＩＰパケット／ＣＤＴ信号変換部の前記ＩＰパケット監視部は、前記ＩＰパケット受信部が前記ＩＰパケットを前記第１の所定時間よりも長い第２の所定時間受信していない場合は、前記ＣＤＴ信号送出部からのＣＤＴ信号の送出を停止する通信装置である。
【００１６】
また、本発明の通信装置は、前記ＩＰパケットの通信に衛星通信を用いる通信装置である。
【発明の効果】
【００１７】
本発明によれば、１サイクルごとにＣＤＴデータをＩＰパケットに変換して送出するので、ジッターやパケットロスによる影響が小さく、簡単な構成でジッターやパケットロスの発生頻度が大きいＩＰネットワークでも使用可能な通信装置を得ることができる。
【図面の簡単な説明】
【００１８】
【図１】本発明の一実施形態に係る通信装置の概略構成を示す図である。
【図２】ＣＤＴ方式によるＣＤＴ信号の伝送フォーマットの一例を示す図である。
【図３】本発明の一実施形態に係る通信装置においてＣＤＴ信号をＩＰパケットに変換するＣＤＴ信号／ＩＰパケット変換部の構成を示す図である。
【図４】図３に示すＣＤＴ信号／ＩＰパケット変換部の処理フローを示す図である。
【図５】本発明の一実施形態に係る通信装置においてＩＰパケットをＣＤＴ信号に変換するＩＰパケット／ＣＤＴ信号変換部の構成を示す図である。
【図６】図５に示すＩＰパケット／ＣＤＴ信号変換部の処理フローを示す図である。
【図７】衛星システムを利用した従来のＴＣ回線の構成を示す図である。
【発明を実施するための形態】
【００１９】
以下、図面を参照しながら、本発明の通信装置に係る好適な実施形態について説明する。以下の説明において、異なる図面においても同じ符号を付した構成は同様のものであるとして、その説明を省略する場合がある。
図１は、本発明の一実施形態に係る通信装置の概略構成を示す図である。本発明の一実施形態に係る通信装置１０は、入力されたＣＤＴ信号を１サイクルごとにＩＰパケットに変換して送出するＣＤＴ信号／ＩＰパケット変換部１０ａと、受信したＩＰパケットをＣＤＴ信号に変換して送出するとともに、ＩＰパケットが第１の所定時間受信できなかった場合に、受信に成功した最新のＩＰパケットを変換したＣＤＴ信号を送出するＩＰパケット／ＣＤＴ信号変換部１０ｂとを有している。
【００２０】
ＴＣ装置３０の信号処理部で生成されたＣＤＴ信号は、ＣＤＴ信号／ＩＰパケット変換部１０ａで１サイクルごとにＩＰパケットに変換され、変換されたＩＰパケットは衛星回線を介して他の通信装置に送られる。また、他の通信装置から衛星回線を介して受信したＩＰパケットには、１パケットごとに１サイクル分のＣＤＴ信号が含まれており、ＩＰパケット／ＣＤＴ信号変換部１０ｂによってＣＤＴ信号に変換された後、ＴＣ装置３０に送られる。ＴＣ装置３０では、信号処理部３１によって受信したＣＤＴ信号を解析し、所与の動作を行う。このため、ＴＣ装置３０は、モデム部を必要としていない。
【００２１】
このように、本実施形態では、通信装置１０は、受信したＣＤＴ信号をＩＰパケットに変換して送出するＣＤＴ信号／ＩＰパケット変換部１０ａと、受信したＩＰパケットをＣＤＴ信号に変換して送出するＩＰパケット／ＣＤＴ信号変換部１０ｂとを、装置として一体に有するものであるが、ＣＤＴ信号／ＩＰパケット変換部１０ａとＩＰパケット／ＣＤＴ信号変換部１０ｂとを別々の装置として構成することもできる。ＣＤＴ信号／ＩＰパケット変換部１０ａとＩＰパケット／ＣＤＴ信号変換部１０ｂの詳細については後述する。
【００２２】
図２は、ＣＤＴ方式によるＣＤＴ信号の伝送フォーマットの一例を示す図である。図２（Ａ）はサイクルとフレームの関係を示したものであり、１フレームにより最大３１組の情報ワードが送られ、さらに情報が増大すれば２フレームが使用され、１サイクルで最大６２組の情報が伝送される。１フレームには、図２（Ｂ）で示す４４ビットからなる同期ワードと、図２（Ｃ）で示す情報ワードが含まれる。同期ワードはフレームごとの同期を確実にするために伝送されるものであり、一般の情報と区別ができるように特殊なパターンの符号を有している。また、情報ワードは２２ビットを単位として反転２連送されるため、４４ビットで構成される。
【００２３】
情報ワードの符号構成は、図２（Ｄ）に示す表示ワードおよび図２（Ｅ）に示す計測ワードとも、アドレス６ビット、フラグ２ビット、サイン１ビット、データ１２ビットおよびパリティ１ビットである。フラグＦ１は表示ワードでは常時「１」であり、計測ワードでは、正常時に「１」、異常時に「０」となる。また、フラグＦ２は、表示ワード、計測ワードとも未使用で常時「０」である。サインは、計測ワードの極性を表し、正の場合「０」、負の場合「１」となる。
【００２４】
ＣＤＴ信号の１サイクルのデータ量は、最小のＣＤＴ信号の場合、１つの同期ワードと１組の情報ワードとから構成される８８ビットの信号となる。また、最大のＣＤＴ信号の場合、それぞれ１つの同期ワードと３１組の情報ワードからなる第１、第２フレームから構成される２８１６ビットの信号となる。
【００２５】
次に、通信装置１０のＣＤＴ信号／ＩＰパケット変換部１０ａについて説明する。図３は、本発明の一実施形態に係る通信装置においてＣＤＴ信号をＩＰパケットに変換するＣＤＴ信号／ＩＰパケット変換部の構成を示す図である。ＣＤＴ信号／ＩＰパケット変換部１０ａは、ＴＣ装置３０の信号処理部３１から送出されたＣＤＴ信号を一時的に蓄えるＣＤＴ信号バッファ部１１、ＣＤＴ信号バッファ部に溜まったＣＤＴ信号を監視するＣＤＴ信号バッファ監視部１２、ＣＤＴ信号をＩＰパケットに変換するＣＤＴ／ＩＰプロトコル変換部１３、変換後のＩＰパケットを、例えば衛星通信のために外部に送出するＩＰパケット送出部１４を備えている。
【００２６】
次に、ＣＤＴ信号／ＩＰパケット変換部１０ａの処理フローついて説明する。図４は、図３に示すＣＤＴ信号／ＩＰパケット変換部の処理フローを示す図である。まず、通信装置１０は、ＴＣ装置３０の信号処理部３１から送られてきたデジタル信号であるＣＤＴ信号を受信し、ＣＤＴ信号バッファ部１１に一時的に蓄える（ステップＳ１）。ＣＤＴ信号バッファ監視部１２は、ＣＤＴ信号バッファ部１１に溜まったＣＤＴ信号が１サイクル分溜まったかどうかを判定し（ステップＳ２）、ＣＤＴ信号バッファ部１１に１サイクル分のＣＤＴ信号が溜まった場合は、ＣＤＴ／ＩＰプロトコル変換部１３に対して、ＣＤＴ信号バッファ部１１に溜まった１サイクル分のＣＤＴ信号をＩＰパケットに変換する指令を出す（ステップＳ２で「ＹＥＳ」の場合）。また、ＣＤＴ信号バッファ部１１に１サイクル分のＣＤＴ信号が溜まっていない場合は、溜まるまで待つ（ステップＳ２で「ＮＯ」の場合）。
【００２７】
ＣＤＴ／ＩＰプロトコル変換部１３は、ＣＤＴ信号バッファ監視部１２からの指令を受けて、ＣＤＴ信号バッファ部１１に溜まった１サイクル分のＣＤＴ信号をＩＰパケットに変換し（ステップＳ３）、変換したＩＰパケットは、ＩＰパケット送出部１４から衛星通信等の外部の通信網や他の装置に向けて送出される（ステップＳ４）。通信装置１０の各構成部の処理は、実際にはプログラムによって動くプロセッサーやメモリによって実現される。
【００２８】
このように、本実施形態の通信装置では、ＣＤＴ信号を１サイクル単位でＩＰパケットに変換しているため、１つのＩＰパケットにはＣＤＴ信号１サイクル分の各種の系統の状態情報や数値情報が含まれることになる。このため、パケットロスが発生したとしても、そのサイクル分の情報を得ることができないが、正常に受信できたパケットを受信側で保持しているので、これをＴＣ装置３０に送出することで通信を継続状態とすることが可能となる。しかも、パケットロスが１サイクル分だけなので、受信側でのパケットロス分の保持・送出が容易であり、その他のサイクルの情報通信に支障がなくなる。
【００２９】
ちなみに、図７に示す従来の音声ＩＰ変換装置４０では、１サイクル分の情報を４〜１１８程度のパケットに分割して送信されていたため、その中の１パケットでもロスが発生すると、そのサイクルは正常に再生できなかった。このため、例えば、パケットロス１％程度になる通信回線では、正常な通信ができず、衛星通信のようなパケットロスの大きい通信回線では安定した通信を確立することは難しかった。
【００３０】
次に、通信装置１０のＩＰパケット／ＣＤＴ信号変換部１０ｂについて説明する。図５は、本発明の一実施形態に係る通信装置においてＩＰパケットをＣＤＴ信号に変換するＩＰパケット／ＣＤＴ信号変換部の構成を示す図である。ＩＰパケット／ＣＤＴ信号変換部１０ｂは、例えば衛星通信によって送られてきたＩＰパケットを受信するＩＰパケット受信部２１、ＩＰパケット受信部２１におけるＩＰパケットの受信状況を監視し、他の構成部に対して必要な指示を出すＩＰパケット監視部２２、ＩＰパケットをＣＤＴ信号に変換するＩＰ／ＣＤＴプロトコル変換部２３、変換されたＣＤＴ信号を一時的に蓄えるＣＤＴ信号バッファ部２４、同じく、変換されたＣＤＴ信号を蓄えるＣＤＴ信号前値保持部２５、ＩＰパケット監視部２２の指示により、送出するためのＣＤＴ信号として、ＣＤＴ信号バッファ部２４に保存されたＣＤＴ信号とＣＤＴ信号前値保持部２５に保存されたＣＤＴ信号を切換えるＣＤＴ送出信号切替部２６、ＣＤＴ送出信号切替部２６からのＣＤＴ信号を、例えば、ＴＣ装置３０の信号処理部３１に送出するＣＤＴ信号送出部２７を備えている。
【００３１】
図６は、図５に示すＩＰパケット／ＣＤＴ信号変換部１０ｂの処理フローを示す図であり、この図を参照しつつ、図５に示すＩＰパケット／ＣＤＴ信号変換部１０ｂの処理フローについて説明する。ＩＰパケット監視部２２は、ＩＰパケット受信部２１がＩＰパケットを受信しているかどうかを監視する（ステップＳ１１）。そして、ＩＰパケット受信部２１が、第１の所定時間（一定時間）内にＩＰパケットを受信している場合は、図示していないが、ＣＤＴ送出信号切替部２６に対してＣＤＴ信号バッファ部２４からのＣＤＴデータを選択するように指示を出す（ステップＳ１１で「ＹＥＳ」の場合）。
【００３２】
次に、ＩＰ／ＣＤＴプロトコル変換部２３は、ＩＰパケット受信部２１で受信したＩＰパケットを１パケットごとにＣＤＴ信号に変換する（ステップＳ１２）。変換したＣＤＴ信号は、ＣＤＴ信号バッファ部２４および前値保持部に保存される（ステップＳ１３，１４）。そして、ＣＤＴ信号バッファ部２４に保存したＣＤＴ信号がＣＤＴ送出信号切替部２６によって選択され、ＣＤＴ信号送出部２７を介して、外部のＴＣ装置３０の信号処理部３１に送出される（ステップＳ１５）。以降、ＩＰパケット受信部２１が継続して、第１の所定時間内ごとにＩＰパケットを受信している状態では、ステップＳ１１〜ステップＳ１５を繰り返し、ＩＰパケット受信部で受信したＩＰパケットは、１パケットごとにＣＤＴ信号に変換されて、ＣＤＴ信号送出部２７から外部へ送出される。
【００３３】
なお、ＣＤＴ信号バッファ部２４に保持されたＣＤＴ信号は、ＣＤＴ信号送出部２７から出力された後は、消去されてもよく、あるいは、次の新たなＣＤＴ信号がＩＰ／ＣＤＴプロトコル変換部２３から入力された際に書き換えられてもよい。
【００３４】
ステップＳ１１で、ジッターやパケットロスなどの原因で、第１の所定時間内にＩＰパケット受信部２１がＩＰパケットを受信できなかった場合、ＩＰパケット監視部２２は、ＣＤＴ送出信号切替部２６に対してＣＤＴ信号前値保持部２５に入力を切換える切替信号を出す。ＣＤＴ送出信号切替部２６はＩＰパケット監視部２２からの切替信号を受信すると、それまでＣＤＴ信号バッファ部２４から入力していたＣＤＴ信号からＣＤＴ信号前値保持部２５に保持されたＣＤＴ信号に切替える。この処理により、ＣＤＴ信号前値保持部２５に保持されたＣＤＴ信号がＣＤＴ信号送出部２７から送出される（ステップＳ１６）。
【００３５】
ステップＳ１６からステップＳ１７に移り、ＩＰパケット監視部２２は、さらに次の第１の所定時間内にＩＰパケット受信部２１がＩＰパケットを受信できているかどうかを判別する。そして、ＩＰパケット受信部２１が、ＩＰパケットを受信できている場合（「ＹＥＳ」の場合）には、ステップＳ１２に移り、以降の動作を繰り返す。この場合、ＩＰパケット監視部２２は、ＣＤＴ送出信号切替部２６に対してＣＤＴ信号バッファ部２４に入力を切換える切替信号を出す。
【００３６】
ステップＳ１７で、さらに次の第１の所定時間内にＩＰパケット受信部２１がＩＰパケットを受信できていない場合（「ＮＯ」の場合）、ステップＳ１８に移り、第１の所定時間よりも長い第２の所定時間が経過したかどうかを判別する。第２の所定時間が経過していない場合（「ＮＯ」の場合）、ステップＳ１６に移り、再度、ＣＤＴ信号前値保持部２５に保持されたＣＤＴ信号をＣＤＴ信号送出部２７から送出し、以降の処理を繰り返す。そして、ステップＳ１８で、第２の所定時間が経過している場合（「ＹＥＳ」の場合）、ＩＰパケット監視部２２は、ＣＤＴ信号送出部２７に対してＣＤＴ信号の送出を停止する停止信号を送出し、停止信号を受けたＣＤＴ信号送出部２７は、ＣＤＴ信号の送信を中止する（ステップＳ１９）。なお、通信装置１０の各構成部の処理は、実際にはプログラムによって動くプロセッサーやメモリによって実現される。
【００３７】
これらの動作により、単発的なパケットロスや一定時間内のパケット遅延が発生したとしても、ＣＤＴ信号送出部２７からは一定時間（第２の所定時間）の間は、通信装置１０からＣＤＴ信号は送出され続けるため、ＴＣ装置３０では、受信エラーが発生しにくい状況となる。このため、単発的なパケットのロスや一定時間内のパケット遅延によって一時的に通信状態が悪化した場合でも、ＴＣ装置３０での通信エラーによる頻繁な警報発生を防ぐことができる。また、一定時間以上ＩＰパケットを受信できないような重篤な状況に陥った場合には、通信装置１０からのＣＤＴ信号の送信が中止されるため、ＴＣ装置３０は通信エラーによって、その状況を知ることができる。このように、ジッターやパケットロスが発生したとしても、送信先であるＴＣ装置３０への影響を抑えることができる。
【符号の説明】
【００３８】
１０…通信装置、１０ａ…ＣＤＴ信号／ＩＰパケット変換部、１０ｂ…ＩＰパケット／ＣＤＴ信号変換部、１１…ＣＤＴ信号バッファ部、１２…ＣＤＴ信号バッファ監視部、１３…ＩＰプロトコル変換部、１４…ＩＰパケット送出部、２１…ＩＰパケット受信部、２２…ＩＰパケット監視部、２３…ＣＤＴプロトコル変換部、２４…ＣＤＴ信号バッファ部、２５…ＣＤＴ信号前値保持部、２６…ＣＤＴ送出信号切替部、２７…ＣＤＴ信号送出部、３０…ＴＣ（テレコン）装置、３１…信号処理部、３２…モデム部、４０…音声ＩＰ変換装置。
【図１】
2018006956.tif 000003
【図２】
2018006956.tif 000004
【図３】
2018006956.tif 000005
【図４】
2018006956.tif 000006
【図５】
2018006956.tif 000007
【図６】
2018006956.tif 000008
【図７】
2018006956.tif 000009